(57)【特許請求の範囲】
【請求項１】
ブームの先端部にポイントシーブを配設し、該ポイントシーブに、前記ブームの基端側から繰り出され且つ先端に固定用接続部材が取り付けられた巻上ワイヤロープを掛け渡すと共に、前記ポイントシーブと、前記ブーム先端から吊り下げられるフックブロックのフックブロックシーブとの間に前記巻上ワイヤロープを複数回掛け回して、該巻上ワイヤロープの固定用接続部材をブーム所要箇所に固定し、前記ポイントシーブに掛け回された巻上ワイヤロープのシーブ溝からの離脱を防止するためのガード手段を備えたクレーンブーム先端部構造において、
前記ガード手段を、前記巻上ワイヤロープのポイントシーブに対する掛け回し時に開放され且つ前記固定用接続部材を挿通可能とするオープンポジションと、前記巻上ワイヤロープのシーブ溝からの離脱を防止するガードポジションとの間で回動自在となるよう、前記ブーム先端に枢着し、
前記ガード手段を、ブーム前面側に位置するポイントシーブのシーブ溝外周縁部を高くするように配設される前面側ガード部材と、ブーム背面側に位置するポイントシーブ外周面を覆うように配設される背面側ガード部材とから構成し、
前記前面側ガード部材を、
ポイントシーブの軸線と平行となるようブーム先端部所要箇所に取り付けられる前面側支持ピンと、
該前面側支持ピンに回動自在に嵌装される前面側支持スリーブと、
該前面側支持スリーブに基端部が固着され且つポイントシーブの外周面に倣う湾曲部を有する櫛歯状のガードリンクと、
該ガードリンクの先端に前面側支持スリーブと平行となるよう固着され且つ前記ポイントシーブとフックブロックシーブとの間に複数回掛け回される巻上ワイヤロープ間を通過可能となるよう分断された前面側開閉スリーブと、
該前面側開閉スリーブに挿脱自在で且つ前面側開閉スリーブをガードポジションにロック或いはガードポジションからロック解除するようブームに固定・固定解除可能な前面側ロックピンと、
から構成したことを特徴とするクレーンブーム先端部構造。
【請求項２】
ブームの先端部にポイントシーブを配設し、該ポイントシーブに、前記ブームの基端側から繰り出され且つ先端に固定用接続部材が取り付けられた巻上ワイヤロープを掛け渡すと共に、前記ポイントシーブと、前記ブーム先端から吊り下げられるフックブロックのフックブロックシーブとの間に前記巻上ワイヤロープを複数回掛け回して、該巻上ワイヤロープの固定用接続部材をブーム所要箇所に固定し、前記ポイントシーブに掛け回された巻上ワイヤロープのシーブ溝からの離脱を防止するためのガード手段を備えたクレーンブーム先端部構造において、
前記ガード手段を、前記巻上ワイヤロープのポイントシーブに対する掛け回し時に開放され且つ前記固定用接続部材を挿通可能とするオープンポジションと、前記巻上ワイヤロープのシーブ溝からの離脱を防止するガードポジションとの間で回動自在となるよう、前記ブーム先端に枢着し、
前記ガード手段を、ブーム前面側に位置するポイントシーブのシーブ溝外周縁部を高くするように配設される前面側ガード部材と、ブーム背面側に位置するポイントシーブ外周面を覆うように配設される背面側ガード部材とから構成し、
前記背面側ガード部材を、
ポイントシーブの軸線と平行となるようブーム先端部所要箇所に取り付けられる背面側支持ピンと、
該背面側支持ピンに回動自在に嵌装される背面側支持スリーブと、
該背面側支持スリーブに基端部が固着され且つポイントシーブの外周面に倣う湾曲部を有するガードプレートと、
該ガードプレートの先端部に穿設され且つ固定用接続部材を挿通可能な挿通孔と、
前記ガードプレートの先端に背面側支持スリーブと平行となるよう固着された背面側開閉スリーブと、
該背面側開閉スリーブに挿脱自在で且つ背面側開閉スリーブをガードポジションにロック或いはガードポジションからロック解除するようブームに固定・固定解除可能な背面側ロックピンと
前記ガードプレートの背面側に取り付けられ且つ前記背面側開閉スリーブをガードポジションからロック解除した際に前記ガードプレートを引き上げるための把手と、
から構成したことを特徴とするクレーンブーム先端部構造。
【請求項３】
前記ブーム先端部所要箇所に長孔を穿設し、該長孔に対し前記背面側支持ピンをその径方向へスライド自在に取り付け、前記背面側開閉スリーブをガードポジションからロック解除した際、前記背面側支持ピンを長孔に沿ってスライドさせることにより、前記ポイントシーブとの間隔を広げ得るよう構成した請求項２記載のクレーンブーム先端部構造。
【発明の詳細な説明】
【技術分野】
【０００１】
本発明は、クレーンブーム先端部構造に関するものである。
【背景技術】
【０００２】
図５は一般的なクレーンの一例を示すものであって、クローラ式の下部走行体１の上に、上部旋回体２を旋回可能に設置し、該上部旋回体２の前部にブーム３を起伏ワイヤロープ４の巻上げ下げにより起伏可能に取り付け、該ブーム３の先端部にガイドシーブ５とポイントシーブ６とを配設し、該ガイドシーブ５とポイントシーブ６とに、前記ブーム３の基端側から繰り出される巻上ワイヤロープ７を掛け渡すと共に、前記ポイントシーブ６と、前記ブーム３先端から吊り下げられるフックブロック８のフックブロックシーブ９との間に前記巻上ワイヤロープ７を複数回掛け回して、該巻上ワイヤロープ７の先端に取り付けられたウエッジソケット等の固定用接続部材１０をブーム３所要箇所に固定し、前記巻上ワイヤロープ７の巻上げ下げにより前記フックブロック８を昇降させ得るようになっている。
【０００３】
前記ポイントシーブ６の外周部には、図６に示される如く、該ポイントシーブ６に掛け回された巻上ワイヤロープ７のシーブ溝６ａ（図７及び図８参照）からの離脱を防止するためのガード手段１１が設けられている。
【０００４】
前記ガード手段１１は、図６及び図７に示される如く、ブーム３前面側に位置するポイントシーブ６のシーブ溝６ａ外周縁部を高くするように配設される前面側ガード部材１２と、図６及び図８に示される如く、ブーム３背面側に位置するポイントシーブ６外周面を覆うように配設される背面側ガード部材１３とから構成されている。
【０００５】
前記前面側ガード部材１２は、図６及び図７に示される如く、所要間隔をあけて配設された二本の前面側支持スリーブ１２ａ，１２ｂ間に、ポイントシーブ６の外周面に倣う湾曲部を有する櫛歯状のガードリンク１２ｃの両端を掛け渡すように固着し、前記二本の前面側支持スリーブ１２ａ，１２ｂをそれぞれポイントシーブ６の軸線と平行となるようブーム３のフレームプレート３ａ先端部所要箇所に対し前面側支持ピン１２ｄ，１２ｅにより固定してなる構成を有しており、これにより、前記櫛歯状のガードリンク１２ｃがブーム３前面側に位置するポイントシーブ６のシーブ溝６ａ外周縁部近傍に配設され、前記巻上ワイヤロープ７が前記シーブ溝６ａから離脱しにくくなるようにしてある。尚、前記前面側支持ピン１２ｄ，１２ｅの両端部にはそれぞれ割ピン１２ｆ，１２ｇを嵌挿し、該前面側支持ピン１２ｄ，１２ｅがブーム３のフレームプレート３ａから脱落しないようにしてある。
【０００６】
前記背面側ガード部材１３は、図６及び図８に示される如く、所要間隔をあけて配設された二本の背面側支持スリーブ１３ａ，１３ｂ間に、ポイントシーブ６の外周面に倣う湾曲部を有するガードプレート１３ｃの両端を掛け渡すように固着し、前記二本の背面側支持スリーブ１３ａ，１３ｂをそれぞれポイントシーブ６の軸線と平行となるようブーム３のフレームプレート３ａ先端部所要箇所に対し背面側支持ピン１３ｄ，１３ｅにより固定してなる構成を有しており、これにより、前記ガードプレート１３ｃがブーム３背面側に位置するポイントシーブ６のシーブ溝６ａ外周縁部を覆うように配設され、前記巻上ワイヤロープ７が前記シーブ溝６ａから離脱しないようにしてある。尚、前記背面側支持ピン１３ｄ，１３ｅの両端部にはそれぞれ割ピン１３ｆ，１３ｇを嵌挿し、該背面側支持ピン１３ｄ，１３ｅがブーム３のフレームプレート３ａから脱落しないようにしてある。又、前記ガードプレート１３ｃの先端部には、前記固定用接続部材１０を挿通可能な挿通孔１３ｈ，１３ｉが穿設されている。
【０００７】
尚、前述の如きクレーンに関連する一般的技術水準を示すものとしては、例えば、特許文献１がある。
【特許文献１】特開２００６−１９９３９２号公報
【発明の開示】
【発明が解決しようとする課題】
【０００８】
しかしながら、前述の如き従来のクレーンにおいては、前記前面側ガード部材１２と背面側ガード部材１３とがポイントシーブ６の外周部に固定配置されているため、クレーンの現場への搬入時等に、前記巻上ワイヤロープ７をポイントシーブ６とフックブロックシーブ９との間に複数回掛け回す際には、前記巻上ワイヤロープ７の先端部から固定用接続部材１０を取り外して該巻上ワイヤロープ７の掛け回しを行った後、再び前記巻上ワイヤロープ７の先端部に固定用接続部材１０を取り付けなければならず、作業が面倒で手間と時間がかかるという欠点を有していた。
【０００９】
又、クレーンによる作業途中において、前記巻上ワイヤロープ７のフック条数を掛け変える必要があるような場合にも、前述と同様に、前記巻上ワイヤロープ７に対する固定用接続部材１０の取り外しと取り付けをその都度行わなければならず、作業効率の低下につながっていた。
【００１０】
本発明は、斯かる実情に鑑み、クレーンの現場への搬入時や巻上ワイヤロープのフック条数掛け変え時に巻上ワイヤロープに対する固定用接続部材の取り外しと取り付けを不要とし得、作業効率向上を図り得るクレーンブーム先端部構造を提供しようとするものである。
【課題を解決するための手段】
【００１１】
本発明は、ブームの先端部にポイントシーブを配設し、該ポイントシーブに、前記ブームの基端側から繰り出され且つ先端に固定用接続部材が取り付けられた巻上ワイヤロープを掛け渡すと共に、前記ポイントシーブと、前記ブーム先端から吊り下げられるフックブロックのフックブロックシーブとの間に前記巻上ワイヤロープを複数回掛け回して、該巻上ワイヤロープの固定用接続部材をブーム所要箇所に固定し、前記ポイントシーブに掛け回された巻上ワイヤロープのシーブ溝からの離脱を防止するためのガード手段を備えたクレーンブーム先端部構造において、
前記ガード手段を、前記巻上ワイヤロープのポイントシーブに対する掛け回し時に開放され且つ前記固定用接続部材を挿通可能とするオープンポジションと、前記巻上ワイヤロープのシーブ溝からの離脱を防止するガードポジションとの間で回動自在となるよう、前記ブーム先端に枢着し、
前記ガード手段を、ブーム前面側に位置するポイントシーブのシーブ溝外周縁部を高くするように配設される前面側ガード部材と、ブーム背面側に位置するポイントシーブ外周面を覆うように配設される背面側ガード部材とから構成し、
前記前面側ガード部材を、
ポイントシーブの軸線と平行となるようブーム先端部所要箇所に取り付けられる前面側支持ピンと、
該前面側支持ピンに回動自在に嵌装される前面側支持スリーブと、
該前面側支持スリーブに基端部が固着され且つポイントシーブの外周面に倣う湾曲部を有する櫛歯状のガードリンクと、
該ガードリンクの先端に前面側支持スリーブと平行となるよう固着され且つ前記ポイントシーブとフックブロックシーブとの間に複数回掛け回される巻上ワイヤロープ間を通過可能となるよう分断された前面側開閉スリーブと、
該前面側開閉スリーブに挿脱自在で且つ前面側開閉スリーブをガードポジションにロック或いはガードポジションからロック解除するようブームに固定・固定解除可能な前面側ロックピンと、
から構成したことを特徴とするクレーンブーム先端部構造にかかるものである。
【００１２】
上記手段によれば、以下のような作用が得られる。
【００１３】
クレーンの現場への搬入時等に、前記巻上ワイヤロープをポイントシーブとフックブロックシーブとの間に複数回掛け回す際には、前記ガード手段をオープンポジションに回動させて開放すると、前記巻上ワイヤロープの先端部から固定用接続部材を取り外さなくても該巻上ワイヤロープの掛け回しを行うことが可能となり、その掛け回し完了後、前記ガード手段をガードポジションに回動させて保持すれば、前記巻上ワイヤロープのシーブ溝からの離脱を防止することが可能となり、又、クレーンによる作業途中において、前記巻上ワイヤロープのフック条数を掛け変える必要があるような場合にも、前述と同様に、前記巻上ワイヤロープに対する固定用接続部材の取り外しと取り付けをその都度行わなくて済み、作業効率の低下が避けられる。
【００１６】
本発明は、ブームの先端部にポイントシーブを配設し、該ポイントシーブに、前記ブームの基端側から繰り出され且つ先端に固定用接続部材が取り付けられた巻上ワイヤロープを掛け渡すと共に、前記ポイントシーブと、前記ブーム先端から吊り下げられるフックブロックのフックブロックシーブとの間に前記巻上ワイヤロープを複数回掛け回して、該巻上ワイヤロープの固定用接続部材をブーム所要箇所に固定し、前記ポイントシーブに掛け回された巻上ワイヤロープのシーブ溝からの離脱を防止するためのガード手段を備えたクレーンブーム先端部構造において、
前記ガード手段を、前記巻上ワイヤロープのポイントシーブに対する掛け回し時に開放され且つ前記固定用接続部材を挿通可能とするオープンポジションと、前記巻上ワイヤロープのシーブ溝からの離脱を防止するガードポジションとの間で回動自在となるよう、前記ブーム先端に枢着し、
前記ガード手段を、ブーム前面側に位置するポイントシーブのシーブ溝外周縁部を高くするように配設される前面側ガード部材と、ブーム背面側に位置するポイントシーブ外周面を覆うように配設される背面側ガード部材とから構成し、
前記背面側ガード部材を、
ポイントシーブの軸線と平行となるようブーム先端部所要箇所に取り付けられる背面側支持ピンと、
該背面側支持ピンに回動自在に嵌装される背面側支持スリーブと、
該背面側支持スリーブに基端部が固着され且つポイントシーブの外周面に倣う湾曲部を有するガードプレートと、
該ガードプレートの先端部に穿設され且つ固定用接続部材を挿通可能な挿通孔と、
前記ガードプレートの先端に背面側支持スリーブと平行となるよう固着された背面側開閉スリーブと、
該背面側開閉スリーブに挿脱自在で且つ背面側開閉スリーブをガードポジションにロック或いはガードポジションからロック解除するようブームに固定・固定解除可能な背面側ロックピンと
前記ガードプレートの背面側に取り付けられ且つ前記背面側開閉スリーブをガードポジションからロック解除した際に前記ガードプレートを引き上げるための把手と、
から構成したことを特徴とするクレーンブーム先端部構造にかかるものである。
【００１７】
この場合、前記ブーム先端部所要箇所に長孔を穿設し、該長孔に対し前記背面側支持ピンをその径方向へスライド自在に取り付け、前記背面側開閉スリーブをガードポジションからロック解除した際、前記背面側支持ピンを長孔に沿ってスライドさせることにより、前記ポイントシーブとの間隔を広げ得るよう構成することが望ましい。
【発明の効果】
【００１８】
本発明のクレーンブーム先端部構造によれば、クレーンの現場への搬入時や巻上ワイヤロープのフック条数掛け変え時に巻上ワイヤロープに対する固定用接続部材の取り外しと取り付けを不要とし得、作業効率向上を図り得るという優れた効果を奏し得る。
【発明を実施するための最良の形態】
【００１９】
以下、本発明の実施の形態を添付図面を参照して説明する。
【００２０】
図１〜図４は本発明を実施する形態の一例であって、図中、図５〜図８と同一の符号を付した部分は同一物を表わしており、基本的な構成は図５〜図８に示す従来のものと同様であるが、本図示例の特徴とするところは、図１〜図４に示す如く、ガード手段１１を、前記巻上ワイヤロープ７のポイントシーブ６に対する掛け回し時に開放され且つ前記固定用接続部材１０を挿通可能とするオープンポジション（図１参照）と、前記巻上ワイヤロープ７のシーブ溝６ａからの離脱を防止するガードポジション（図２参照）との間で回動自在となるよう、前記ブーム３先端に枢着した点にある。
【００２１】
本図示例の場合、前記ガード手段１１を構成し且つブーム３前面側に位置するポイントシーブ６のシーブ溝６ａ外周縁部を高くするように配設される前面側ガード部材１２は、ポイントシーブ６の軸線と平行となるようブーム３先端部所要箇所に取り付けられる前面側支持ピン１２ｄに、前面側支持スリーブ１２ａを回動自在に嵌装し、該前面側支持スリーブ１２ａに、ポイントシーブ６の外周面に倣う湾曲部を有する櫛歯状のガードリンク１２ｃの基端部を固着し、該ガードリンク１２ｃの先端に、前記ポイントシーブ６とフックブロックシーブ９との間に複数回掛け回される巻上ワイヤロープ７間を通過可能となるよう分断された前面側開閉スリーブ１２ｂ´を、前記前面側支持スリーブ１２ａと平行となるよう固着し、該前面側開閉スリーブ１２ｂ´に挿脱自在な前面側ロックピン１２ｅ´の両端をブーム３のフレームプレート３ａに穿設されたロック孔３ｂに対し固定・固定解除可能となるよう設け、該前面側ロックピン１２ｅ´の差し込み或いは引き抜きにより前記前面側開閉スリーブ１２ｂ´をガードポジションにロック或いはガードポジションからロック解除できるようにしてなる構成を有している。尚、前記前面側支持ピン１２ｄの両端部には割ピン１２ｆを嵌挿し、該前面側支持ピン１２ｄがブーム３のフレームプレート３ａから脱落しないようにしてあるが、前記前面側ロックピン１２ｅ´の両端部には、割ピン１２ｇ（図７参照）の代わりにロック・ロック解除の容易な公知のリングピン１２ｇ´を差し込み・引き抜き自在に嵌挿し、前記前面側ロックピン１２ｅ´の取り付け・取り外しを容易に行えるようにしてある。
【００２２】
又、前記ガード手段１１を構成し且つブーム３背面側に位置するポイントシーブ６外周面を覆うように配設される背面側ガード部材１３は、ポイントシーブ６の軸線と平行となるようブーム３先端部所要箇所に取り付けられる背面側支持ピン１３ｅに、背面側支持スリーブ１３ｂを回動自在に嵌装し、該背面側支持スリーブ１３ｂに、ポイントシーブ６の外周面に倣う湾曲部を有し且つ先端部に固定用接続部材１０を挿通可能な挿通孔１３ｈ，１３ｉが穿設されたガードプレート１３ｃの基端部を固着し、前記ガードプレート１３ｃの先端に、背面側開閉スリーブ１３ａ´を前記背面側支持スリーブ１３ｂと平行となるよう固着し、該背面側開閉スリーブ１３ａ´に挿脱自在な背面側ロックピン１３ｄ´の両端をブーム３のフレームプレート３ａに穿設されたロック孔３ｃに対し固定・固定解除可能となるよう設け、該背面側ロックピン１３ｄ´の差し込み或いは引き抜きにより前記背面側開閉スリーブ１３ａ´をガードポジションにロック或いはガードポジションからロック解除できるようにしてなる構成を有している。尚、前記背面側支持ピン１３ｅの両端部には割ピン１３ｇを嵌挿し、該背面側支持ピン１３ｅがブーム３のフレームプレート３ａから脱落しないようにしてあるが、前記背面側ロックピン１３ｄ´の両端部には、割ピン１３ｆ（図８参照）の代わりにロック・ロック解除の容易な公知のリングピン１３ｆ´を差し込み・引き抜き自在に嵌挿し、前記背面側ロックピン１３ｄ´の取り付け・取り外しを容易に行えるようにしてある。又、前記ガードプレート１３ｃの背面側には、前記背面側開閉スリーブ１３ａ´をガードポジションからロック解除した際に前記ガードプレート１３ｃを引き上げるための把手１３ｊを取り付けてある。
【００２３】
一方、前記背面側支持ピン１３ｅを取り付ける前記ブーム３のフレームプレート３ａ先端部所要箇所には、単なる円形の孔ではなく長孔３ｄを穿設し、該長孔３ｄに対し前記背面側支持ピン１３ｅをその径方向へスライド自在に取り付け、前記背面側開閉スリーブ１３ａ´をガードポジションからロック解除した際、前記背面側支持ピン１３ｅを長孔３ｄに沿ってスライドさせることにより、前記ポイントシーブ６との間隔を広げ得るよう構成してある。
【００２４】
尚、図１中、３ｅは前記固定用接続部材１０を前記ブーム３に固定するために、そのフレームプレート３ａに穿設された固定孔であり、該固定孔３ｅに固定ピン３ｆ（図２参照）を差し込んで前記固定用接続部材１０を前記ブーム３に固定するようにしてある。
【００２５】
次に、上記図示例の作用を説明する。
【００２６】
クレーンの現場への搬入時等に、前記巻上ワイヤロープ７をポイントシーブ６とフックブロックシーブ９との間に複数回掛け回す際には、先ず、前記ガード手段１１の前面側ガード部材１２と背面側ガード部材１３とをそれぞれ、図１に示す如く、オープンポジションに回動させて開放する。
【００２７】
この状態で、先端部に固定用接続部材１０が取り付けられた巻上ワイヤロープ７を背面側ガード部材１３の背面側から、そのガードプレート１３ｃに穿設された挿通孔１３ｈ，１３ｉのいずれかに挿し通し、ポイントシーブ６と前面側ガード部材１２との間を通過させてフックブロック８のフックブロックシーブ９に掛け回した後、前記巻上ワイヤロープ７の固定用接続部材１０を、図１中、仮想線で示す如く、ポイントシーブ６と背面側ガード部材１３との間に通すようにする。
【００２８】
ここで、前記背面側支持ピン１３ｅは単なる円形の孔ではなく長孔３ｄに対しその径方向へスライド自在に取り付けられており、前記背面側開閉スリーブ１３ａ´をガードポジションからロック解除した際、前記背面側支持ピン１３ｅを長孔３ｄに沿ってスライドさせることにより、前記ポイントシーブ６との間隔が広げられているため、前記巻上ワイヤロープ７の固定用接続部材１０を通すことが楽に行える。
【００２９】
続いて、前記巻上ワイヤロープ７をポイントシーブ６とフックブロックシーブ９との間に複数回掛け回した後、固定孔３ｅに固定ピン３ｆを差し込んで前記固定用接続部材１０を前記ブーム３に固定すると共に、前記ガード手段１１の前面側ガード部材１２を、図１に示すオープンポジションから前面側支持ピン１２ｄを中心として図２に示すガードポジションに回動させ、フレームプレート３ａのロック孔３ｂ及び前面側開閉スリーブ１２ｂ´に前面側ロックピン１２ｅ´を嵌挿し、該前面側ロックピン１２ｅ´の両端部にリングピン１２ｇ´を差し込んで固定し、更に、前記ガード手段１１の背面側ガード部材１３を、図１に示すオープンポジションから背面側支持ピン１３ｅを中心として図２に示すガードポジションに回動させ、フレームプレート３ａのロック孔３ｃ及び背面側開閉スリーブ１３ａ´に背面側ロックピン１３ｄ´を嵌挿し、該背面側ロックピン１３ｄ´の両端部にリングピン１３ｆ´を差し込んで固定する。
【００３０】
この結果、前記巻上ワイヤロープ７の先端部から固定用接続部材１０を取り外さなくても該巻上ワイヤロープ７の掛け回しを行うことが可能となり、その掛け回し完了後、前記ガード手段１１の前面側ガード部材１２と背面側ガード部材１３とをそれぞれガードポジションに回動させて保持すれば、前記巻上ワイヤロープ７のシーブ溝６ａからの離脱を防止することが可能となる。
【００３１】
又、クレーンによる作業途中において、前記巻上ワイヤロープ７のフック条数を掛け変える必要があるような場合にも、前述と同様に、前記ガード手段１１の前面側ガード部材１２と背面側ガード部材１３とをそれぞれ、図１に示す如く、オープンポジションに回動させて開放すれば良く、前記巻上ワイヤロープ７に対する固定用接続部材１０の取り外しと取り付けをその都度行わなくて済み、作業効率の低下が避けられる。
【００３２】
因みに、ガードリンク１２ｃの先端に固着された前面側開閉スリーブ１２ｂ´は分断されており、前記ポイントシーブ６とフックブロックシーブ９との間に複数回掛け回される巻上ワイヤロープ７間を通過可能となっているため、前記巻上ワイヤロープ７のフック条数の掛け変え時に、前記ガード手段１１の前面側ガード部材１２のガードポジションからオープンポジションへの移行も円滑に行える。
【００３３】
こうして、クレーンの現場への搬入時や巻上ワイヤロープ７のフック条数掛け変え時に巻上ワイヤロープ７に対する固定用接続部材１０の取り外しと取り付けを不要とし得、作業効率向上を図り得る。
【００３４】
尚、本発明のクレーンブーム先端部構造は、上述の図示例にのみ限定されるものではなく、本発明の要旨を逸脱しない範囲内において種々変更を加え得ることは勿論である。
【図面の簡単な説明】
【００３５】
【図１】本発明を実施する形態の一例におけるガード手段を開放してオープンポジションに位置させた状態を示す側面図である。
【図２】本発明を実施する形態の一例におけるガード手段を閉じてガードポジションに位置させた状態を示す側面図である。
【図３】図２のＩＩＩ−ＩＩＩ矢視図である。
【図４】図２のＩＶ−ＩＶ矢視図である。
【図５】クレーンの一例を示す全体側面図である。
【図６】従来のクレーンブーム先端部構造の一例を示す側面図である。
【図７】図６のＶＩＩ−ＶＩＩ矢視図である。
【図８】図６のＶＩＩＩ−ＶＩＩＩ矢視図である。
【符号の説明】
【００３６】
３        ブーム
３ａ      フレームプレート
３ｂ      ロック孔
３ｃ      ロック孔
３ｄ      長孔
３ｅ      固定孔
３ｆ      固定ピン
５        ガイドシーブ
６        ポイントシーブ
６ａ      シーブ溝
７        巻上ワイヤロープ
８        フックブロック
９        フックブロックシーブ
１０        固定用接続部材
１１        ガード手段
１２        前面側ガード部材
１２ａ      前面側支持スリーブ
１２ｂ´    前面側開閉スリーブ
１２ｃ      ガードリンク
１２ｄ      前面側支持ピン
１２ｅ´    前面側ロックピン
１２ｆ      割ピン
１２ｇ´    リングピン
１３        背面側ガード部材
１３ａ´    背面側開閉スリーブ
１３ｂ      背面側支持スリーブ
１３ｃ      ガードプレート
１３ｄ´    背面側ロックピン
１３ｅ      背面側支持ピン
１３ｆ´    リングピン
１３ｇ      割ピン
１３ｈ      挿通孔
１３ｉ      挿通孔
１３ｊ      把手
【図１】
0005090814.tif 000002
【図２】
0005090814.tif 000003
【図３】
0005090814.tif 000004
【図４】
0005090814.tif 000005
【図５】
0005090814.tif 000006
【図６】
0005090814.tif 000007
【図７】
0005090814.tif 000008
【図８】
0005090814.tif 000009